(57)【要約】  絶縁基板１と、該絶縁基板１にろう材３を介して接合された金属板２とを備えており、該金属板２の側面における厚み方向の表面粗さは、少なくとも平面視における前記金属板２の中心から最も離れた角部２ａの表面粗さが、該角部を挟む平面部２ｂの表面粗さより大きいパワーモジュール用基板１０である。また、このパワーモジュール用基板１０に電子部品４０を搭載したパワーモジュール１００である。【選択図】  図１２
2019003725.tif 000002
【特許請求の範囲】
【請求項１】
絶縁基板と、該絶縁基板にろう材を介して接合された金属板とを備えており、
該金属板の側面における厚み方向の表面粗さは、少なくとも平面視における前記金属板の中心から最も離れた角部の表面粗さが、該角部を挟む平面部の表面粗さより大きいパワーモジュール用基板。
【請求項２】
前記平面部から前記角部にかけて、前記表面粗さは徐々に大きくなっている請求項１に記載のパワーモジュール用基板。
【請求項３】
前記角部は平面視で凸曲面である請求項１または請求項２に記載のパワーモジュール用基板。
【請求項４】
請求項１乃至請求項３のいずれかに記載のパワーモジュール用基板と、
該パワーモジュール用基板の前記金属板上に搭載された電子部品とを備えるパワーモジュール。
【発明の詳細な説明】
【技術分野】
【０００１】
本開示は、金属板が絶縁基板に接合されたパワーモジュール用基板およびパワーモジュールに関するものである。
【背景技術】
【０００２】
従来、ＩＧＢＴ（Insulated Gate Bipolar Transistor）等の電子部品が搭載されたパワーモジュールのような電子装置に用いられる回路基板として、例えば、セラミック焼結体等からなる絶縁基板に銅等の金属材料からなる金属板が接合されたパワーモジュール用基板が用いられている。【０００３】
パワーモジュールを小型化するために、打ち抜き加工で金属板を作製して、絶縁基板に対して垂直な側面を有する金属板とすることで、金属板（の側面）同士の間隔を小さくすることが行なわれている（例えば、特許文献１を参照。）。
【先行技術文献】
【特許文献】
【０００４】
【特許文献１】特開２００７−５３３４９号公報
【発明の概要】
【０００５】
本開示の１つの態様のパワーモジュール用基板は、絶縁基板と、該絶縁基板にろう材を介して接合された金属板とを備えており、該金属板の側面における厚み方向の表面粗さは、少なくとも平面視における前記金属板の中心から最も離れた角部の表面粗さは、該角部を挟む平面部の表面粗さより大きい。
【０００６】
本開示の１つの態様のパワーモジュールは、上記構成のパワーモジュール用基板と、該パワーモジュール用基板の前記金属板上に搭載された電子部品とを備える。
【発明の効果】
【０００７】
本開示のパワーモジュール用基板によれば、上記構成であることから、熱応力が集中しやすい角部においては、ろう材の這い上がりが抑えられ、角部から絶縁基板上へのろう材の広がりが大きくなりやすいので、金属板と絶縁基板と間の接合信頼性に優れたパワーモジュール用基板となる。【０００８】
本開示のパワーモジュールによれば、上記構成のパワーモジュール用基板を備えていることから、信頼性が向上したパワーモジュールとなる。
【図面の簡単な説明】
【０００９】
【図１】本開示のパワーモジュール用基板の一例を示す上面図である。
【図２】図１のＢ−Ｂ線における断面図である。
【図３】図１の下面図である。
【図４】本開示のパワーモジュール用基板の他の例を示す上面図である。
【図５】図４のＢ−Ｂ線における断面図である。
【図６】図４の下面図である。
【図７】図１および図４のＡ部の拡大図の一例を示す。
【図８】図１および図４のＡ部の拡大図の他の例を示す。
【図９】図８の斜視図である。
【図１０】図４のＣ部の拡大図の一例を示す。
【図１１】図１０の斜視図である。
【図１２】本開示のパワーモジュールの一例を示す上面図である。
【図１３】図１２のＢ−Ｂ線における断面図である。
【発明を実施するための形態】
【００１０】
本開示の実施形態のパワーモジュール用基板およびパワーモジュールについて図面を参照して説明する。なお、以下の説明における上下の区別は便宜的なものであり、実際にパワーモジュール用基板およびパワーモジュール等が使用される際の上下を限定するものではない。
【００１１】
図１は本開示のパワーモジュール用基板の一例を示す上面図である。図２は図１のＢ−Ｂ線における断面図である。図３は図１の下面図である。図４は本開示のパワーモジュール用基板の他の例を示す上面図である。図５は図４のＢ−Ｂ線における断面図である。図６は図４の下面図である。また、図７および図８は、いずれも図１および図４のＡ部の拡大図の一例である。図９は図８の斜視図である。
【００１２】
パワーモジュール用基板１０は、絶縁基板１と、絶縁基板１の主面（上下面）にろう材３を介して接合された金属板２とを備えている。金属板２の側面における厚み方向の表面粗さは、少なくとも平面視における前記金属板２の中心から最も離れた角部２ａの表面粗さが、角部２ａを挟む平面部２ｂの表面粗さより大きい。
【００１３】
従来のパワーモジュール用基板においては、金属板同士の間隔を小さくする場合には、金属板を接合するろう材同士の間隔も小さくしなければならず、そのために金属板の側面から絶縁基板の表面への広がりも小さくしていた。しかしながら、ろう材の広がりを小さくすると、金属板と絶縁基板との接合信頼性が低下してしまうおそれがあった。金属板と絶縁基板との間の熱膨脹差によって熱応力が発生し、この熱応力が集中しやすい金属板の角部近傍において、ろう材あるいは絶縁基板に亀裂が発生してしまうことによるものであった。
【００１４】
金属板２の側面は、金属板２の両主面（上下面）の間に位置し、両主面（上下面）に対して略垂直な面である。これにより、金属板２同士の間の間隔を小さくして、より小型のパワーモジュール用基板１０とすることができる。金属板２は、ろう材３によって絶縁基板１に接合されており、金属板２と絶縁基板１との間にろう材３が介在している。ろう材３は金属板２の側面から絶縁基板１の表面にかけて広がっており、いわゆるメニスカス形状のフィレット部を形成している。このろう材３のフィレット部は平面視で金属板２の外縁からはみ出た部分である。金属板２同士の間隔を小さくするには、ろう材３のはみ出し量を小さくする必要がある。
【００１５】
パワーモジュール用基板においては、例えば、半導体素子を搭載してパワーモジュールとして動作させた際の、半導体素子に発生する熱によって、金属板と絶縁基板との間の熱膨張差による熱応力が発生する。例えば、金属板の平面視の形状は矩形状であることが多いが、熱応力は金属板の端、特に角部の直下および角部のろう材の外側の端部に集中しやすい。ろう材のはみ出し量が小さいと、金属板の角部とろう材の端とが近くなることで熱応力がさらに集中しやすくなる。そのため、従来のパワーモジュール用基板は、金属板と絶縁基板との接合信頼性が低下しやすくなるものであった。
【００１６】
本開示のパワーモジュール用基板１０によれば、金属板２の側面における厚み方向の表面粗さは、金属板２の角部２ａの表面粗さが、角部２ａを挟む平面部２ｂの表面粗さより大きいことから、角部２ａの方が平面部２ｂよりもろう材３の濡れ性が悪くなる。、金属板２の側面におけるろう材３の這い上がりは、平面部２ｂより角部２ａの方が小さくなる。これにより、角部２ａから絶縁基板１上へのろう材の広がりが大きいものとなる。例えば、表面粗さに違いのない、従来のパワーモジュール用基板における角部近傍における絶縁基板上へのろう材の広がりは、図７および図８に示す例において、二点鎖線で示すようなものとなる。従来に比較して、金属板２の角部と、その外側に位置するろう材３の端部との距離が大きくなっている。そのため、熱応力が分散され、金属板２と絶縁基板１との接合信頼性が向上する。
【００１７】
ここでいう角部２ａは、凸の角部である。図１〜図３に示す例および図４〜図６に示す例においては、いずれも絶縁基板１の上面に１つの比較的大きい金属板２（２１）とそれを挟むように配置された２つの小さい金属板２（２２）の３つの金属板２（２１，２２）が接合され、下面に１つの金属板２（２３）が接合ざれている。図１〜図３に示す例では、これら３つの金属板２（２１，２２）の平面視の形状は全て矩形状である。これに対して、図４〜図６に示す例では、絶縁基板１の上面の中央部に配置された金属板２（２１）は、矩形状の一対の対角を切欠いたような形状であり、図４において破線で囲んだＣ部内の切欠き部の角部２ｃは凹の角となっている。この凹の角部２ｃを含む２つの切欠き部内にそれぞれ位置する２つの金属板２２の形状は矩形状である。
【００１８】
全ての凸の角部の表面粗さが平面部の表面粗さより大きくなくてもよく、少なくとも平面視における金属板２の中心から最も離れた角部２ａの表面粗さが、この角部２ａを挟む平面部２ｂの表面粗さより大きいものであればよい。上述したように、図１〜図３に示す例および図４〜図６に示す例においては、上面には大きさの大きい金属板２（２１）と小さい金属板２（２２）が接合されている。例えば、大きさの大きい金属板２（２１）には電子部品が搭載され、電子部品の電極と小さい金属板２（２２）とがボンディングワイヤで電気的に接続される。上述した熱応力は、金属板２と絶縁基板１との接合長さが長いほど大きくなるので、図１〜図３に示す例のような、矩形状で大きさの大きい金属板２（２１）においては４つの角部２ａにおいて熱応力が大きくなる。また、図４〜図６に示す例のような場合は、大きさの大きい金属板２（２１）における切欠かれていない対角が熱応力の大きい凸の角部２ａとなる。また、絶縁基板１の下面に接合された矩形状の金属板２（２３）もまた、大きさが大きいので、この金属板２（２３）の４つの角もまた熱応力が大きくなる角部２ａである。これら角部２ａは、いずれも平面視における金属板２の中心から最も離れているものである。平面視における金属板２の中心とは、金属板２の平面視における形状の図心ともいうことができる。このような、絶縁基板１の主面（上面および下面）に接合された金属板２のうち、大きさの大きい金属板２（２１）における、金属板２（２１）の中心から最も離れた角部２ａにおける熱応力を抑えるのが接合信頼性向上には効果的である。そのため、少なくともこのような角部２ａにおける表面粗さが、この角部２ａを挟む平面部２ｂの表面粗さより大きければよい。
【００１９】
なお、小さい金属板２（２２）の角部２２ａは、他の金属板２（２１）と近接しているので、ろう材３の広がりが大きくならないように、表面粗さを大きくしなくてもよい。また、図４〜図６に示す例における、１つの切欠き部の外側に存在し、凹の角部２ｃに隣接する２つの凸の角部２１ａについても、金属板２の中心から最も離れているものではなく、他の金属板２（２１）と近接しているので、表面粗さを大きくしなくてもよい。図４〜図６に示す例において、切欠きの大きさが同じで、小さい金属板２２がより小さく、大きい金属板２１の切欠き部の凸の角部２１ａと小さい金属板２２とが十分に離れている場合には、切欠き部の凸の角部２１ａの表面粗さも大きくすることができる。
【００２０】
ここで、金属板２の側面の表面粗さの測定は、金属板２の厚み方向に測定する。ろう材３の金属板２の側面における這い上がりの程度に影響を与えるのは、ろう材３の這い上がり方向である金属板２の厚み方向であるからである。角部２ａの表面粗さは、角の頂点での表面粗さある必要はなく、角の頂点を含む所定の幅を有する範囲である角部の表面粗さである。この角部は角の頂点から２つの平面部２ｂの方向へ０．５ｍｍ程度までの部分である。図８に示す例のように角が平面視で曲面である場合には、平面視において２つの平面部２ｂを延長して交差する部分を角の頂点とみなして、そこから平面部２ｂの方向へ０．５ｍｍ程度までの部分である。平面部２ｂの表面粗さは、角から２ｍｍ以上離れた部分で測定する。角部２ａが曲面であって、その半径が０．５ｍｍより大きい場合は、平面部２ｂの表面粗さの測定は、曲面部分の端から１．５ｍｍ以上離れた位置で行なう。
【００２１】
表面粗さは、算術平均粗さＲａであり、レーザー顕微鏡を用いて測定することができる。例えば、キーエンス社製のレーザー顕微鏡（KV9510)を用いて、測定レンジが１００μｍ、カットオフが０．０８ｍｍ、測定ピッチが０．０１μｍの条件で測定することができる。上記で定義した角部２ａおよび平面部２ｂのそれぞれにおいて、複数箇所（例えば３箇所）で測定した平均値を、それぞれ角部２ａの表面粗さおよび平面部２ｂの表面粗さとする。表面粗さは、例えば、金属板２が銅板であり、一般的な金型による打ち抜き加工によって形成された側面（をさらに追加工した側面）を有するものであって、ろう材３が銀−銅合金を主成分とするものである場合であれば、平面部２ｂの表面粗さが０．３〜１．０μｍで、角部２ａの表面粗さが０．５μｍ〜１．５μｍとすることができる。このときの平面部２ｂの表面粗さと角部２ａの表面粗さとで、例えば０．１μｍ以上の差があれば、上記のような効果を奏するものとなる。また、この程度の表面粗さであれば、角部２ａにおいても、金属板２の厚みの１／５〜１／２程度までろう材３が這い上がって、金属板２の側面から絶縁基板１の上面にかけてろう材３に凹曲面のメニスカス形状のフィレット部が形成され、応力を緩和しやすくなる。
【００２２】
平面部２ｂから角部２ａにかけて、表面粗さが徐々に大きくなっているパワーモジュール用基板１０であってもよい。言い換えれば、角部２ａから平面部２ｂの方へ離れるにつれて表面粗さが小さくなっているものであってもよい。この場合には、金属板２の側面におけるろう材の濡れ性の変化が緩やかになり、図９に示す例のように、金属板２の側面におけるろう材３の高さの変化が緩やかになる。そして、絶縁基板１上へのろう材３の広がり長さ（はみ出し幅）も平面部２ｂと角部２ａとの間で極端に変化することがない。そのため、ろう材３における広がり長さが変化する部分は熱応力等が集中しやすい形状とはならないので、金属板２の絶縁基板１への接合信頼性が向上したものとなる。
【００２３】
この場合の平面部２ｂから角部２ａにかけての表面粗さの変化は、角部２ａおよび平面部２ｂの表面粗さの測定を、一定の間隔（例えば、１ｍｍ）をあけて行なうことで確認することができる。加工上のバラツキや測定バラツキにより、必ずしも角部２ａから離れるにつれて表面粗さが小さくならない場合もあるが、表面粗さと測定位置（角部２ａからの距離）の関係を示すグラフの近似曲線において、角部２ａから離れるにつれて表面粗さが小さくなっていればよい。あるいは、以下のようにして確認することもできる。平面部２ｂを等間隔に複数の領域に分けて、各領域において複数箇所で表面粗さを測定し、各領域における平均の表面粗さを比較すればよい。
【００２４】
上述したが、図８および図９に示す例のように、角部２ａは平面視で凸曲面とすることができる。この場合には、角部２ａが角を有さない、応力が集中し難い形状となるので、角部２ａの近傍を起点として、ろう材３および絶縁基板１にクラック等が発生し難く、信頼性の高いものとなる。角部２ａは、例えば、平面視で半径０．１ｍｍ〜３ｍｍ程度の曲面とすることができる。上記のような表面粗さとする角部２ａ以外の角部においても凸曲面とすることができる。例えば、大きさの小さい金属板２２の凸の角部２２ａ、図４に示す例における切欠き部に形成される凸の角部２１ａである。このような別の金属板２に隣接する角部を凸曲面とすると、この角部と隣接する金属板２との間において放電が発生して絶縁性が低下してしまう可能性が低減される。
【００２５】
図４に示す例のように、金属板２が凹の角部２ｃを有し、この凹の角部２ｃの近傍に他の金属板２（２２）が位置している場合は、凹の角部２ｃの平面粗さは平面部２ｂより小さくすることができる。このようにすると、図１１に示す例のように、凹の角部２ｃにおけるろう材３の這い上がりが大きくなる。そのため、凹の角部２ｃの表面粗さが大きい場合の絶縁基板１上へのろう材３の広がり（図１０に示す二点鎖線）に比較して、凹の角部２ｃから絶縁基板１上へのろう材３の広がりが小さいものとなる。これにより、凹の角部２ｃに近接して配置された他の金属板２（２２）との距離が小さくなって絶縁性が低下してしまう可能性が低減される。ここで、図１０は、図４（ａ）のＣ部の拡大図の一例を示し。図１１は図１０の斜視図である。
【００２６】
なお、図１０および図１１に示す例のように、凹の角部２ｃは、平面視で凹曲面とすることができる。この場合には、凹の角部２ｃにおけるろう材３の這い上がり高さをより高いものとしやすくなる。また、凹の角部２ｃが角を有さない、応力が集中し難い形状となるので、凹の角部２ｃの近傍を起点としたクラック等が発生し難く、信頼性の高いものとなる。凹の角部２ｃは、例えば、平面視で半径０．１ｍｍ〜３ｍｍ程度の凹曲面とすることができる。
【００２７】
凹の角部２ｃの表面粗さの測定位置は、角の頂点から２つの平面部２ｂ（２１ｂ）の方向へ０．５ｍｍ程度までの部分であればよい。図１０および図１１に示す例のように角が平面視で曲面である場合には、平面視において２つの平面部２ｂ（２１ｂ）を延長して交差する部分を角の頂点とみなして、そこから平面部２ｂ（２１ｂ）の方向へ０．５ｍｍ程度までの部分である。より明確には、図１０に示す例のように、凹の角部２ｃを有する金属板２（２１）の平面部２ｂ（２１ｂ）から外側に広がったろう材３の外周端の直線部分を角の方向へ延長した仮想延長線（図１０に示す２つの直線Ｌ）が凹の角部２ｃを有する金属板２（２１）の側面と交差する部分に挟まれる範囲（図１０および図１１に示す範囲ｃ）を金属板２１の凹の角部２ｃとすることができる。言い換えれば、凹の角部２ｃの範囲は、角の頂点から平面部２ｂ（２１ｂ）の外側のろう材３の幅の範囲である。
【００２８】
凹の角部２ｃから平面部２ｂ（２１ｂ）にかけて表面粗さが徐々に大きくなるものとすることができる。この場合には、金属板２の側面におけるろう材の濡れ性の変化が、凹の角部２ｃの近傍においても緩やかになり、図１１に示す例のように、ろう材３の金属板２（２１）の側面における高さの変化が緩やかになる。そして、絶縁基板１上へのろう材３の広がり長さも平面部２ｂ（２１ｂ）と凹の角部２ｃとの間で極端に変化することがない。そのため、ろう材３における広がり長さが変化する部分は熱応力等が集中しやすい形状とはならないので、金属板２（２１）の絶縁基板１への接合信頼性が向上したものとなる。上述したように、平面部２ｂから角部２ａにかけて表面粗さを徐々に大きくするのと組み合わせて、凹の角部２ｃから平面部２ｂ、角部２ａと徐々に表面粗さを大きくすることができる。
【００２９】
図１２は、本開示のパワーモジュールの一例を示す上面図である。図１３は図１２のＢ−Ｂ線における断面図である。パワーモジュール１００は、図１２および図１３に示す例のように、上述したようなパワーモジュール用基板１０と、パワーモジュール用基板１０の金属板２（２１）上に搭載された電子部品４０とを備える。このようなパワーモジュール１００によれば、上記構成のパワーモジュール用基板１０を備えていることから、金属板２と絶縁基板１との接合信頼性が向上したものとなる。
【００３０】
図１２および図１３に示す例におけるパワーモジュール用基板１０は、図１〜図３に示す例のパワーモジュール用基板１０と同じであり、絶縁基板１の上面に１つの大きい金属板２（２１）と２つの小さい金属板２（２２）とを備えている。大きい金属板２（２１）に電子部品４０が搭載されており、電子部品４０と小さい金属板２（２２）とは、ボンディングワイヤ４１等の接続材によって電気的に接続されている。図１２および図１３に示す例においては、例えば、金属板２１は、電子部品４０の搭載用かつ放熱用として機能し、金属板２２は、電子部品４０を外部電気回路（図示せず）に電気的に接続するための接続する端子として機能する。この場合、金属板２２は、平面視で絶縁基板１の外縁から突出していてもよい。また、図１〜図３および図４〜図６に示す例においては、絶縁基板１の下面にも金属板２３がろう材３によって接合されている。図１〜図３および図４〜図６に示す例の場合は、金属板２３は絶縁基板１の下面より一回り小さい四角形状のものである。このような金属板２３は、電子部品４０で発生した熱をパワーモジュール１００外に放出するための放熱板として機能させることができる。これによって、パワーモジュール１００としての放熱性が向上し、電子部品４０の長期の作動信頼性が向上する。この絶縁基板１の下面に接合された金属板２３は、電子部品４０を搭載したり、外部回路と接続したりするための回路板として機能するものであってもよい。
【００３１】
絶縁基板１は、パワーモジュール用基板１０において、金属板２を固定して支持するための基体部分である。また、絶縁基板１は、絶縁基板１の上面における金属板２１と金属板２２あるいは絶縁基板１の上面の金属板２１，２２と絶縁基板１の下面の金属板２３とを互いに電気的に絶縁させるための絶縁部材として機能する。
【００３２】
絶縁基板１は、セラミック焼結体からなり、高い機械的強度および高い伝熱特性（冷却特性）などの特性を有するものがよい。セラミック焼結体としては、公知の材料を用いることができ、例えば、アルミナ（Ａｌ2Ｏ3）質焼結体、窒化アルミニウム（ＡｌＮ）質焼結体、窒化ケイ素（Ｓｉ3Ｎ4）質焼結体および炭化珪素（ＳｉＣ）質焼結体などを用いることができる。絶縁基板１は、例えば、縦が１０〜１２０ｍｍ、横が１０〜１２０ｍｍ厚さが０．２〜３．０ｍｍの矩形板状のものを用いることができる。このような絶縁基板１は、公知の製造方法によって製造することができ、例えば、アルミナ粉末に焼結助剤を添加した原料粉末に有機バインダー等を加えて混練して、基板状に成形したのち、焼成することで製造することができる。
【００３３】
金属板２は、上述したように、パワーモジュール１００において、電子部品４０が搭載され、電子部品４０を外部電気回路に電気的に接続するための回路導体として、あるいは電子部品４０に発生する熱を放熱するための放熱板として機能する。そのため、その形状は特に定まったものはなく、パワーモジュール１００における配線設計に応じて設定されるものである。金属板２の厚みは、電気抵抗や強度、放熱性を考慮して、例えば、０．２ｍｍ〜２．０ｍｍに設定することができる。また、金属板２の数および配置もまた図１〜図３および図４〜図６に示す例に限られるものではない。
【００３４】
金属板２は、例えば銅（Ｃｕ）または銅合金あるいはアルミニウム（Ａｌ）またはアルミニウム合金等の金属材料によって形成されている。いわゆる９９％以上の純銅や純アルミニウムであると電気抵抗が小さく、熱伝導性にも優れている。また金属板２の成分として酸素が含有される場合には、金属板２における含有量が少ない方が、ボンディングワイヤ４１と金属板２との接合強度の向上に関して有利である。
【００３５】
金属板２は、例えば、金属母基板を打ち抜き加工して所定の形状とし、さらに側面の表面粗さを調整するための追加工をすることで作製することができる。金型を用いた、通常の打ち抜き加工により、側面と主面との間の角度がほぼ直角である金属板２とすることができる。そのため、パワーモジュール用基板１０においては、金属板２間の距離を小さくすることができ、小型化することができる。金属板２の形状は、打ち抜き加工の際の金型の形状によって設定することができ、角部２ａおよび凹の角部２ｃの形状をそれぞれ平面視で凸曲面および凹曲面とするのも同様である。
【００３６】
そして、打ち抜き加工によって形成された、比較的表面粗さの小さい側面を追加工することで、凹の角部２ｃより表面粗さの大きい平面部２ｂ、さらに平面部２ｂより表面粗さの大きい凸の角部２ａを有する金属板２を形成することができる。打ち抜き加工後の追加工の程度を、角部２ａ、平面部２ｂおよび凹の角部２ｃのそれぞれで異ならせることで表面粗さも異ならせることができる。追加工としては、例えば、バレル研磨あるいはブラスト加工を用いることができる。ブラスト加工においては、研磨材を当てる時間を凹の角部２ｃ、平面部２ｂ、凸の角部２ａの順で長くすればよい。バレル研磨においてもブラスト加工においても以下のようにすれば、研磨材を当てる時間を調整することができる。例えば、平面部２ｂおよび凹の角部２ｃに樹脂等からなる保護膜を設けた状態でバレル研磨またはブラスト加工した後、保護膜を除去して再度バレル研磨またはブラスト加工をすることで、角部２ａの表面粗さを大きくすることもできる。平面部２ｂより凹の角部２ｃの方が研磨材が当たり難いので、平面部２ｂと凹の角部２ｃとでは加工時間を同じにすることができる。また、このような追加工によって、打ち抜き加工で発生するバリを除去することもできる。さらには、打ち抜き加工および追加工によって、金属板２の上面と側面の間の角を面取りしてＲ面とすることができ、この角からの放電を抑えることができる。
【００３７】
あるいは、追加工で凹の角部２ｃの表面粗さを平面部２ｂの表面粗さより小さくするには、例えば、バレル研磨に用いるメディア（研磨石、研磨材）の大きさを調整して、凹の角部２ｃに研磨材が当たり難くする方法を用いることができる。例えば、直径０．６ｍｍのメディアを用いると、直角の凹の角部２ｃにおいては角の頂点から０．３ｍｍ程度まではメディアが当たり難くなるので研磨され難く、この部分以外が研磨されやすくなる。研磨によって表面粗さが大きくなるようにすれば、研磨され難い凹の角部２ｃの表面粗さは元のままで、研磨されやすい平面部２ｂおよび凸の角部２ａ等の表面粗さは大きくなる。このとき、凸の角部２ａは平面部２ｂより研磨材が当たりやすいので、加工時間を調整することで凸の角部２ａの表面粗さを平面部２ｂの表面粗さより大きくすることができる。これは、ブラスト加工の場合でも同様で、研磨材の大きさを調整すればよい。
【００３８】
小さい金属板２２の側面は、部位によって表面粗さを変える必要はないが、小さい金属板２２と大きい金属板２１の平面部２ｂ（２１ｂ）とでろう材３の側面への這い上がりの程度、絶縁基板１上への広がりの程度を同程度にするために、小さい金属板２２についても大きい金属板２１の平面部２ｂ（２１ｂ）に施すのと同じ追加工をして作製することができる。
【００３９】
金属板２の側面において、平面部２ｂから角部２ａにかけて表面粗さが徐々に大きくなるようにするためには、例えば、上述した保護膜を用いてバレル研磨またはブラスト加工することもできる。例えば、平面部２ｂを保護膜で覆った状態でバレル研磨またはブラスト加工を施した後、角部２ａの近傍の保護膜だけを除去して再度バレル研磨またはブラスト加工を施すことで、追加工の加工量（研磨の程度）を部位によって異ならせることができる。
【００４０】
凹の角部２ｃから平面部２ｂ（２１ｂ）、角部２ａ（２１ａ）と徐々に表面粗さを大きくするには、凹の角部２ｃおよび平面部２ｂ（２１ｂ）を保護膜で覆って追加工し、保護膜の角部２ａ（２１ａ）側の一部を除去して再度追加工することを繰り返すればよい。あるいは、上述したバレル研磨において、複数種類の大きさを有するメディアを用いることができる。例えば、上記の直径０．６ｍｍの第１メディアに加えて、直径３ｍｍの第２メディアを用いることで、凹の角部２ｃの角の頂点から０．３ｍｍ程度までの部分では第１メディアおよび第２メディアともに当たり難くなり、角の頂点から０．３ｍｍ〜１．５ｍｍ程度までの部分では第１メディアは当たりやすく、第２メディアは当たり難くなり、角の頂点から１．５ｍｍ以上離れた部分では第１メディア、第２メディアともに当たりやすくなる。凹の角部２ｃから離れるにつれて多くのメディアが当たって研磨されるので、表面粗さを徐々に大きくすることができる。組み合わせるメディアの大きさ、大きさの種類の数、混合比率等により、表面粗さの変化の状態を調整することができる。また、形状の異なるメディア、材質の異なるメディアを混合して用いることもできる。ブラスト加工の場合でも同様である。
【００４１】
金属板２は、ろう材３によって絶縁基板１に接合され（ろう付けされ）ている。ろう材３としては、例えば、金属板２が銅（Ｃｕ）または銅合金からなる場合であれば、銀−銅（Ａｇ−Ｃｕ）合金ろうに、チタン（Ｔｉ）、ハフニウム（Ｈｆ）、ジルコニウム（Ｚｒ）等の活性金属を含む活性金属ろうを用いることができる。金属板２がアルミニウム（Ａｌ）またはアルミニウム合金からなる場合は、アルミニウム−シリコン（Ａｌ−Ｓｉ）系合金またはアルミニウム−ゲルマニウム（Ａｌ−Ｇｅ）系合金のろう材を用いることができる。絶縁基板１に、スクリーン印刷等の方法でろう材ペーストを塗布して、その上に金属板２を載置して加圧した状態で加熱することで金属板２は絶縁基板１に接合（ろう付け）される。
【００４２】
ろう材３は、平面視で金属板２の外縁から絶縁基板１上に広がっており、ろう材３の広がり幅、すなわち、平面視で金属板２の外縁からろう材３の外縁までの距離は、例えば、０．０５ｍｍ〜０．５ｍｍ程度とすることができる。また、金属板２（２１）と他の金属板２（２２）との間隔は、例えば、０．８ｍｍ〜２．０ｍｍ程度とすることができる。隣接する金属板２同士の間において、ろう材３の外縁間の距離（間隔）は０．５ｍｍ〜１．０ｍｍとすることができる。ろう材３および金属板２同士の間隔がこの程度であれば、隣接する金属板２間において絶縁不良となる可能性を小さくすることができるとともに、十分小さいのでパワーモジュール用基板１０およびパワーモジュール１００を小型のものとすることができる。
【００４３】
絶縁基板１の下面の金属板２３が上述した放熱板として機能するものである場合には、平面視において、下面の金属板２３の大きさは、例えば、上面の金属板２（２１および２２）全体の大きさと同じかそれよりも大きく、絶縁基板１よりも小さいものに設定することができる。下面の金属板２３が上面の複数の金属板２（２１および２２）の外縁を結ぶ大きさと同程度の大きさである場合には、絶縁基板１の上下での熱応力の相違が低減されるため、パワーモジュール用基板１０の反りを抑制することに関して有利である。また下面の金属板２３を絶縁基板１よりも小さくすることで、下面の金属板２３と上面の金属板２（２１および２２）との間の電気絶縁性を向上させることができる。また、下面の金属板２３が上面の金属板２（２１および２２）よりも大きい、言い換えれば平面透視で金属板２３の外縁の位置が上面の金属板２(２１および２２)の外縁より外側に位置する場合には、パワーモジュール１００の使用時に発生する熱を下面の金属板２３の水平方向に効果的に拡散することができ、放熱性を向上させることに関しては有利である。より放熱性を向上させたい場合には、下面の金属板２３を絶縁基板１よりも大きくすることができる。この場合、上面の金属板２（２１および２２）は絶縁基板１の外縁より内側になるように接合して、下面の金属板２３との絶縁性を確保するようにすることができる。
【００４４】
金属板２（２１，２２、２３）の表面には、その表面の保護のため、あるいはろう材３またはボンディングワイヤ４１等の接合性の向上のためにめっき層をもうけてもよい。めっき層は、パラジウム、ニッケル、銀等の金属めっき層とすることができる。
【００４５】
なお、パワーモジュール用基板１０は、いわゆる多数個取りの形態で作製してこれを分割することで作製することもできる。
【００４６】
このようなパワーモジュール用基板１０に電子部品４０を搭載することで、図１２および図１３に示す例のような、パワーモジュール１００となる。電子部品４０は、例えばＩＧＢＴ等のパワー半導体素子である。電子部品４０は、金属板２の上に、例えば、はんだ付けまたはろう付けあるいは拡散接合で接合されて固定される。図１２および図１３に示す例では、電子部品４０は絶縁基板１の上面に接合された大きい金属板２１の上に固定され、電子部品４０と上面の小さい金属板２２とがアルミニウムや金（Ａｕ）等のボンディングワイヤ４１で電気的に接続されている。なお、パワーモジュール１００は、例えば、ケースに収納されていてもよいし、ケースに収納してさらに樹脂で覆うこともできる。ケースの底にヒートシンクを配置して、パワーモジュール用基板１０の下面の金属板２３とヒートシンクとを伝熱性の材料、例えば伝熱グリースで接合して放熱性を高めることもできる。
【００４７】
なお、パワーモジュール用基板１０およびパワーモジュール１００は、上記実施形態に記載された例に限定されるものではなく、本開示の要旨の範囲内で種々の変更は可能である。
【符号の説明】
【００４８】
１・・・・絶縁基板
２（２１，２２，２３）・・・・金属板
２ａ（２１ａ，２２ａ）・・・角部
２ｂ（２１ｂ，２２ｂ）・・・平面部
２ｃ・・・凹の角部
３・・・・ろう材
１０・・・パワーモジュール用基板
４０・・・・電子部品
４１・・・・ボンディングワイヤ
１００・・・パワーモジュール
【図１】
2019003725.tif 000003
【図２】
2019003725.tif 000004
【図３】
2019003725.tif 000005
【図４】
2019003725.tif 000006
【図５】
2019003725.tif 000007
【図６】
2019003725.tif 000008
【図７】
2019003725.tif 000009
【図８】
2019003725.tif 000010
【図９】
2019003725.tif 000011
【図１０】
2019003725.tif 000012
【図１１】
2019003725.tif 000013
【図１２】
2019003725.tif 000014
【図１３】
2019003725.tif 000015
【国際調査報告】
2019003725.tif 000016
2019003725.tif 000017
2019003725.tif 000018
2019003725.tif 000019